(57)【要約】【課題】音響信号を集音したマイクにかかわらず、ユーザが所望する状態の音響信号を出力することを可能にする出力装置及び集音装置を提供する。【解決手段】音響ファイル処理部は、音響ファイルに基づいて、当該音響ファイルに含まれる音響信号を集音したマイクＦＬ，ＦＲ，ＳＬ，ＳＲを識別し、識別したマイクに応じて音響信号を処理する。これにより、音響信号が様々なマイクＦＬ，ＦＲ，ＳＬ，ＳＲで集音されていたとしても、それぞれの音響信号に適した処理を施すことが可能となる。したがって、集音後の事後的な処理であっても、ユーザが所望する状態の音響信号を得ることが可能となる。【選択図】図１
2011250283.tif 000002
【特許請求の範囲】
【請求項１】
音響ファイルに基づいて、当該音響ファイルに含まれる音響信号を集音したマイクを識別するとともに、識別したマイクに応じて音響信号を処理する音響ファイル処理部を備え、
前記音響ファイル処理部で処理された音響信号を出力することを特徴とする出力装置。
【請求項２】
前記音響ファイル処理部が、識別したマイクに応じた信号処理を、音響信号に施すことを特徴とする請求項１に記載の出力装置。
【請求項３】
前記音響ファイル処理部が、同時期に集音されて生成された複数の音響信号の中から、識別したマイクに応じて少なくとも一つを選択し、当該選択した音響信号を出力することを特徴とする請求項１または請求項２に記載の出力装置。
【請求項４】
前記音響ファイル処理部が識別したマイク及び当該マイクを用いた集音により実現される集音状態の少なくとも一方を表示する表示部を、さらに備えることを特徴とする請求項１〜請求項３のいずれかに記載の出力装置。
【請求項５】
特性が異なる複数のマイクと、
前記マイクの集音により生成される音響信号に基づいて音響ファイルを作成する音響ファイル作成部と、を備え、
前記音響ファイル作成部が、音響信号を集音したマイクに応じて音響ファイルを作成することを特徴とする集音装置。
【請求項６】
前記音響ファイル作成部が、集音したマイクに応じた情報を、音響ファイルに与えることを特徴とする請求項５に記載の集音装置。
【請求項７】
前記音響ファイル作成部が、集音したマイクに応じた信号処理を、音響信号に施すことを特徴とする請求項５または請求項６に記載の集音装置。
【発明の詳細な説明】
【技術分野】
【０００１】
本発明は、音響信号を出力する出力装置や、集音により音響ファイルを作成する集音装置に関する。
【背景技術】
【０００２】
集音により音響ファイルを作成する集音装置として、例えば、ＩＣ（Integrated Circuit）レコーダやデジタルカメラなどが普及している。また、これらの集音装置の中に、複数のマイクロフォン（以下、マイクとする）を備えるものがある（特許文献１参照）。
【先行技術文献】
【特許文献】
【０００３】
【特許文献１】特開２００９−５１５７号公報
【発明の概要】
【発明が解決しようとする課題】
【０００４】
集音装置に備えられる複数のマイクは、例えば、配置や指向性（音の到来方向に対する感度）など、特性がそれぞれ異なる場合がある。このような場合、集音するマイクに応じて、様々な集音状態（例えば、周囲から到来する音を等しく集音する状態や、ある方向から到来する音を強調して集音する状態など）を実現することが可能となる。そのため、ユーザが目的に応じて集音するマイクを使い分けることで、所望の集音状態を実現することが可能となる。
【０００５】
しかしながら、ユーザが誤ったマイクを選択して集音すると、ユーザが所望する集音状態が実現されず、意図した状態の音響信号が得られない。また、ユーザが集音するマイクの選択を誤らなかったとしても、例えば記録した音響ファイルを再生した時など、後になって別のマイクを選択するべきであったと考えることがある。そのため、絶対的に正しいマイクをユーザが選択して集音することは、不可能であるため、問題となる。さらに、ユーザが望む状態の音響信号を、集音装置が備えるマイクのみでは得ることができない場合があるため、問題となる。
【０００６】
なお、音響信号を記録後に処理することで、ユーザが所望する状態に近づけることは可能である。しかしながら、上述のように音響信号は様々な特性のマイク（集音状態）で集音されて得られるものであるため、それぞれの状態は異なり得る。したがって、全ての音響信号に対して効果的な処理を施すことは困難であり、記録後の処理ではユーザが所望する状態の音響信号を得ることが難しい。
【０００７】
そこで本発明は、音響信号を集音したマイクにかかわらず、ユーザが所望する状態の音響信号を出力することを可能にする出力装置及び集音装置を提供することを目的とする。
【課題を解決するための手段】
【０００８】
上記目的を達成するために、本発明における出力装置は、音響ファイルに基づいて、当該音響ファイルに含まれる音響信号を集音したマイクを識別するとともに、識別したマイクに応じて音響信号を処理する音響ファイル処理部を備え、前記音響ファイル処理部で処理された音響信号を出力することを特徴とする。
【０００９】
以下の実施の形態では、音響ファイル処理部の一例として、ファイル確認部及び再生用音響信号処理部を挙げて説明している。
【００１０】
また、上記構成の出力装置において、前記音響ファイル処理部が、識別したマイクに応じた信号処理を、音響信号に施すこととしても構わない。
【００１１】
このように構成すると、所望の状態の音響信号を、信号処理によって得ることが可能となる。
【００１２】
また、上記構成の出力装置において、前記音響ファイル処理部が、同時期に集音されて生成された複数の音響信号の中から、識別したマイクに応じて少なくとも一つを選択し、当該選択した音響信号を出力することとしても構わない。
【００１３】
このように構成すると、所望の状態の音響信号を、音響信号を選択することによって得ることが可能となる。
【００１４】
また、上記構成の出力装置において、前記音響ファイル処理部が識別したマイク及び当該マイクを用いた集音により実現される集音状態の少なくとも一方を表示する表示部を、さらに備えることとしても構わない。
【００１５】
このように構成すると、ユーザが、所望の状態の音響信号が出力されているか否かを、表示部の表示によって確認することが可能となる。さらに、表示部の表示を確認したユーザが、所望の状態の音響信号が出力されるように、出力装置に対して指示することが可能となる。
【００１６】
また、本発明の集音装置は、特性が異なる複数のマイクと、前記マイクの集音により生成される音響信号に基づいて音響ファイルを作成する音響ファイル作成部と、を備え、前記音響ファイル作成部が、音響信号を集音したマイクに応じて音響ファイルを作成することを特徴とする。
【００１７】
以下の実施の形態では、音響ファイル作成部の一例として、記録用音響信号処理部及びファイル構成部を挙げて説明している。
【００１８】
また、上記構成の集音装置において、前記音響ファイル作成部が、集音したマイクに応じた情報を、音響ファイルに与えることとしても構わない。
【００１９】
このように構成すると、事後的に、音響ファイルが有する所定の情報を参照することで、集音したマイクを識別することが可能となる。
【００２０】
また、上記構成の集音装置において、前記音響ファイル作成部が、集音したマイクに応じた信号処理を、音響信号に施すこととしても構わない。
【００２１】
このように構成すると、事後的に、音響ファイルに含まれる音響信号の状態を確認することで、集音したマイクを識別することが可能となる。
【００２２】
また、上記構成の集音装置において、前記音響ファイル作成部が、共通の時間情報を有する複数の音響ファイルを作成することとしても構わない。
【００２３】
このように構成すると、事後的に、音響信号を処理する際に、複数の音響ファイルに含まれる音響信号を容易に同期させて処理することが可能となる。
【００２４】
また、上記構成の集音装置において、集音するマイクを指定するユーザの指示が入力される操作部をさらに備え、前記音響ファイル作成部が、前記操作部を介して指定されたマイクの集音により生成される音響信号と、前記操作部を介して指定されていない少なくとも一つのマイクの集音により生成される音響信号と、に基づいて、音響ファイルを作成することとしても構わない。
【００２５】
このように構成すると、事後的に、音響信号を処理する際に、処理可能な音響信号を増加させることができる。
【００２６】
また、上記構成の集音装置において、音響信号を集音しているマイク及び当該マイクを用いた集音により実現される集音状態の少なくとも一方を表示する表示部を、さらに備えることとしても構わない。
【００２７】
このように構成すると、ユーザが、所望の状態の音響信号が集音されているか否かを、表示部の表示によって確認することが可能となる。さらに、表示部の表示を確認したユーザが、所望の状態の音響信号が集音されるように、集音装置に対して指示することが可能となる。
【発明の効果】
【００２８】
本発明の構成とすると、音響信号を集音したマイクが識別され、その識別結果に応じて音響信号が処理される。そのため、音響信号が様々なマイクで集音されていたとしても、それぞれの音響信号に適した処理を施すことが可能となる。したがって、集音後の事後的な処理であっても、ユーザが所望する状態の音響信号を得ることが可能となる。
【００２９】
また、本発明の構成とすると、集音したマイクに応じた音響ファイルが作成される。そのため、事後的に（例えば、音響ファイルの再生時や編集時に）、音響信号を集音したマイクを識別することが可能となる。したがって、所望の音響信号を得るための適切な処理を、容易に選択し実行することが可能となる。
【００３０】
本発明の意義ないし効果は、以下に示す実施の形態の説明によりさらに明らかとなろう。ただし、以下の実施の形態は、あくまでも本発明の実施の形態の一つであって、本発明ないし各構成要件の用語の意義は、以下の実施の形態に記載されたものに制限されるものではない。
【図面の簡単な説明】
【００３１】
【図１】は、本発明の実施の一形態である記録再生装置の外観の一例を示す平面図である。
【図２】は、本発明の実施の一形態である記録再生装置に備えられる記録処理部の構成の一例を示すブロック図である。
【図３】は、本発明の実施の一形態である記録再生装置に備えられる再生処理部の構成の一例を示すブロック図である。
【図４】は、音響信号の処理方法の第１例を行う再生用音響信号処理部の要部構成例を示すブロック図である。
【図５】は、音響信号の処理方法の第１例の別例を行う再生用音響信号処理部の要部構成例を示すブロック図である。
【図６】は、音響信号の処理方法の第２例について説明する記録再生装置の外観の一例を示す平面図である。
【図７】は、音響信号の処理方法の第２例の別例について説明する記録再生装置の外観の一例を示す平面図である。
【発明を実施するための形態】
【００３２】
＜＜記録再生装置＞＞
本発明の実施の一形態として、音響信号を集音して記録する記録処理部と、音響信号を再生する再生処理部と、の両方を備える記録再生装置について、以下図面を参照して説明する。図１は、本発明の実施の一形態である記録再生装置の外観の一例を示す平面図である。
【００３３】
図１に示すように、記録再生装置１は、特性（例えば、配置や指向性など。以下同じ）が異なる複数のマイクＦＬ，ＦＲ，ＳＬ，ＳＲと、画像や文字などを表示する表示部Ｄと、ユーザに操作されることでユーザの指示が入力される操作部Ｐと、マイクＦＬ，ＦＲ，ＳＬ，ＳＲ、表示部Ｄ及び操作部Ｐが配置される本体部Ｂと、を備える。なお、図１では、マイクＦＬ，ＦＲ，ＳＬ，ＳＲを強調して表示するため、それぞれを灰色で表示している。
【００３４】
図１は、本体部Ｂの表示部Ｄ及び操作部Ｐが配置される面を示し、当該面内において、表示部ＤからマイクＦＬ，ＦＲ，ＳＬ，ＳＲに向かう方向を正面方向（図１の上方向）、その反対方向を背面方向（図１の下方向）、正面方向と略垂直な方向を側面方向（図１の左右方向）とする。また、上記面内において、正面方向を上、背面方向を下としたときの左方向を左側面方向（図１の左方向）、右方向を右側面方向（図１の右方向）とする。
【００３５】
マイクＦＬは、本体部Ｂの正面方向の端部かつマイクＦＲの左側面方向に配置されるとともに、正面方向を向く指向性のマイクである。また、マイクＦＲは、本体部Ｂの正面方向の端部かつマイクＦＬの右側面方向に配置されるとともに、正面方向を向く指向性のマイクである。マイクＦＬ，ＦＲは、それぞれ記録再生装置１の正面方向から到来する音を強調して集音する。
【００３６】
マイクＳＬは、本体部Ｂの左側面方向の端部かつマイクＳＲの左側面方向に配置されるとともに、左側面方向を向く無指向性のマイクである。また、マイクＳＲは、本体部Ｂの右側面方向の端部かつマイクＳＬの右側面方向に配置されるとともに、右側面方向を向く無指向性のマイクである。マイクＳＬ，ＳＲは、記録再生装置１の周囲から到来する音を略等しく集音する。
【００３７】
例えば、マイクＦＬ，ＦＲで集音すると、記録再生装置１の正面方向から到来する音が強調されて集音されたステレオの音響信号（マイクＦＬで集音されて得られる左側音響信号と、マイクＦＲで集音されて得られる右側音響信号）が得られる。また例えば、マイクＳＬ，ＳＲで集音すると、記録再生装置１の周囲から到来する音が略等しく集音されたステレオの音響信号（マイクＳＬで集音されて得られる左側音響信号と、マイクＳＲで集音されて得られる右側音響信号）が得られる。
【００３８】
ユーザは、操作部Ｐを操作することで、複数のマイクＦＬ，ＦＲ，ＳＬ，ＳＲの中から、集音する少なくとも一つのマイクを選択する。例えば、上記のマイクの組み合わせ（マイクＦＬ，ＦＲで集音する場合と、マイクＳＬ，ＳＲで集音する場合）が選択され得る。
【００３９】
表示部Ｄは、表示によりユーザに報知を行う。例えば、ユーザによる操作部Ｐの操作結果を表示したり、記録または再生する音響信号の状態を表示したりする。例えば、表示部Ｄは、記録時に、音響信号を集音しているマイクや、当該マイクを用いた集音により実現される集音状態などを表示する。また例えば、表示部Ｄは、再生時に、音響信号を集音したマイクや、当該マイクを用いた集音により実現される集音状態などを表示する。
【００４０】
このように構成すると、ユーザが、所望の状態の音響信号が記録また再生されているか否かを、表示部Ｄに表示される画像や文字によって確認することが可能となる。さらに、表示部Ｄの表示を確認したユーザが、所望の状態の音響信号が記録または再生されるように、操作部Ｐを介して指示（例えば、集音するマイクを切り替える指示や、再生する音響信号の状態を切り替える指示など）を入力することが可能となる。
【００４１】
＜記録処理部＞
次に、記録再生装置に備えられる記録処理部の構成の一例について、図面を参照して説明する。図２は、本発明の実施の一形態である記録再生装置に備えられる記録処理部の構成の一例を示すブロック図である。
【００４２】
図２に示すように、記録処理部１０は、上述の複数のマイクＦＬ，ＦＲ，ＳＬ，ＳＲと、マイクＦＬ，ＦＲ，ＳＬ，ＳＲの集音により得られた音響信号を処理する記録用音響信号処理部１１と、記録用音響信号処理部１１で処理された音響信号を音響ファイルとして構成する音響ファイル構成部１２と、音響ファイル構成部１２で構成された音響ファイルを記録する記録部１３と、を備える。
【００４３】
記録用音響信号処理部１１は、例えば、マイクＦＬ，ＦＲ，ＳＬ，ＳＲの集音により得られた音響信号を、アナログからデジタルに変換する。このとき、記録用音響信号処理部１１は、所定のサンプリング周波数（例えば、１６、２２．０５、４４．１、４８ｋＨｚなど）でサンプリングを行うとともに、所定のビットレート（例えば、３２、６４、１２８ｋｂｐｓなど）となるように量子化を行い、符号化する。また、記録用音響信号処理部１１は、音響信号の上限周波数（例えば、１５、２０、２３ｋＨｚなど）以上及び下限周波数（例えば、４０Ｈｚなど）以下の周波数成分の削除や、ノイズ成分の低減など、音響信号に対して種々の処理を施す。
【００４４】
ファイル構成部１２は、ヘッダ情報や、ファイル名、その他必要な情報を音響信号に付加したり、音響ファイルに対応する付加ファイル（音響ファイルの一部として解釈され得る）を作成したりすることで、音響ファイルを構成する。
【００４５】
記録部１３は、例えば、本体部Ｂに内蔵された半導体メモリや、ＳＤ（Secure Digital）カードに代表される本体部Ｂに対して着脱自在の半導体メモリなどから成る。なお、記録部１３は、半導体メモリに限られず、磁気ディスクなどの音響ファイル（付加ファイルを含む）を記録可能な媒体であれば、どのようなものであっても構わない。
【００４６】
記録用音響信号処理部１１及びファイル構成部１２は、集音したマイクＦＬ，ＦＲ，ＳＬ，ＳＲに応じた音響ファイルを作成する。なお、記録用音響信号処理部１１及びファイル構成部１２による音響ファイルの作成方法の具体例については、後述する。
【００４７】
以上のように構成すると、集音したマイクＦＬ，ＦＲ，ＳＬ，ＳＲに応じた音響ファイルが作成される。そのため、事後的に（例えば、音響ファイルの再生時や編集時に）、音響信号を集音したマイクＦＬ，ＦＲ，ＳＬ，ＳＲを識別することが可能となる。したがって、所望の音響信号を得るための適切な処理を、容易に選択し実行することが可能となる。
【００４８】
なお、図１及び図２では、４つのマイクＦＬ，ＦＲ，ＳＬ，ＳＲを備える構成について例示しているが、複数（２つ以上）のマイクを備える構成であれば、何個備える構成であっても構わない。
【００４９】
また、記録用音響信号処理部１１及びファイル構成部１２による音響ファイルの作成方法の具体例について、以下説明する。なお、各具体例は、矛盾なき限り組み合わせて実施することが可能である。
【００５０】
［音響ファイルの作成方法：第１例］
まず、音響ファイルの作成方法の第１例について説明する。第１例は、ファイル構成部１２が、集音したマイクに応じた情報を、音響ファイルに与えるものである。
【００５１】
例えば、ファイル構成部１２は、集音したマイクを示す情報を含む付加ファイルである、インデクシングファイルを作成する。なお、インデクシングファイルは、複数の音響ファイルに対応するものであっても構わないし、一つの音響ファイルに対応するものであっても構わない。
【００５２】
また例えば、ファイル構成部１２は、集音したマイクを示す情報を作成し、音響ファイルのヘッダ情報に含ませる。
【００５３】
また例えば、ファイル構成部１２は、集音したマイクを示すファイル名を、音響ファイルに与える。具体的に例えば、マイクＦＬ，ＦＲで集音して得られた音響信号を含む音響ファイルのファイル名を「Ｆｉｌｅ１＿ｍｉｃα．ｍｐ３」とし、マイクＳＬ，ＳＲで集音して得られた音響信号を含む音響ファイルのファイル名を「Ｆｉｌｅ１＿ｍｉｃβ．ｍｐ３」とする。この例は、集音したマイクに応じて、音響ファイルのファイル名中の「α」及び「β」が使い分けられるものである。
【００５４】
このように構成すると、事後的に（例えば、音響ファイルの再生時や編集時に）、音響ファイルが有する所定の情報を参照することで、集音したマイクを識別することが可能となる。
【００５５】
また、集音の開始時から終了時までの間に、ユーザの指示などによって集音するマイクが切り替えられる場合、ファイル構成部１２が、切り替えの前後で集音していたマイクや切り替え時などを示す情報を、音響ファイルに与えても構わない。
【００５６】
［音響ファイルの作成方法：第２例］
次に、音響ファイルの作成方法の第２例について説明する。本例は、記録用音響信号処理部１１が、集音したマイクに応じた信号処理を、音響信号に施すものである。
【００５７】
例えば、記録用音響信号処理部１１は、音響信号の上限周波数を、集音したマイクによって異なる大きさにする。
【００５８】
また例えば、記録用音響信号処理部１１は、音響信号のサンプリング周波数を、集音したマイクによって異なる大きさにする。
【００５９】
また例えば、記録用音響信号処理部１１は、音響信号のビットレートを、集音したマイクによって異なる大きさにする。
【００６０】
このように構成すると、事後的に（例えば、音響ファイルの再生時や編集時に）、音響ファイルに含まれる音響信号の状態を確認することで、集音したマイクを識別することが可能となる。
【００６１】
なお、より高品質な音響信号が集音され得る場合に（例えば、１つのマイクで集音する場合よりも、複数のマイクで集音する場合の方が）、より高品質な音響信号が得られる処理方法（例えば、上限周波数が大きい、サンプリング周波数が大きい、ビットレートが大きい）が適用されると、好ましい。
【００６２】
また、本例において、信号処理の内容がヘッダ情報に記録される場合、事後的に（例えば、再生時や編集時に）ヘッダ情報が参照されることで、集音したマイクが識別されても構わない。
【００６３】
また、集音の開始時から終了時までの間に、ユーザの指示などによって集音するマイクが切り替えられる場合、記録用音響信号処理部１１が、切り替えの前後で異なる信号処理を音響信号に施しても構わない。
【００６４】
＜再生処理部＞
次に、記録再生装置に備えられる再生処理部の構成の一例について、図面を参照して説明する。図３は、本発明の実施の一形態である記録再生装置に備えられる再生処理部の構成の一例を示すブロック図である。
【００６５】
図３に示すように、再生処理部２０は、記録部１３から得られた音響ファイルの構成を識別するファイル確認部２１と、ファイル確認部２１で確認された音響ファイルの情報に基づいて音響ファイルに含まれる音響信号を処理する再生用音響信号処理部２２と、再生用音響信号処理部２２で処理された音響信号を再生するスピーカＳ１，Ｓ２と、を備える。
【００６６】
ファイル確認部２１は、例えば、音響ファイルのヘッダ情報などを参照することで、音響ファイルに含まれる音響信号の状態を確認する。例えば、音響信号の符号化方法や、チャネル数（モノラルやステレオなど）、サンプリング周波数、ビットレートなどを確認する。また、ファイル確認部２１は、上述のように音響ファイルに対応づけられた付加ファイル（例えば、インデクシングファイル）や音響ファイルのヘッダ情報、ファイル名などに基づいて、集音したマイクを識別し得る。
【００６７】
再生用音響信号処理部２２は、ファイル確認部２１で確認される各種情報に基づいて音響信号を復号化する。また、再生用音響信号処理部２２は、上述のように音響信号の状態を確認することで、集音したマイクを識別し得る。さらに、再生用音響信号処理部２２は、ファイル確認部２１や再生用音響信号処理部２２で識別されたマイクに基づいて、音響信号の状態を変更する処理を行い得る。例えば、再生用音響信号処理部２２は、ユーザが指定する状態となるように、音響信号を処理する。なお、再生用音響信号処理部２２による音響信号の処理方法の具体例については、後述する。
【００６８】
以上のように構成すると、音響信号を集音したマイクが識別され、その識別結果に応じて音響信号が処理される。そのため、音響信号が様々なマイクで集音されていたとしても、それぞれの音響信号に適した処理を施すことが可能となる。したがって、集音後の事後的な処理であっても、ユーザが所望する状態の音響信号を得ることが可能となる。
【００６９】
なお、図３では２つのスピーカＳ１，Ｓ２を備える構成について例示しているが、１つのスピーカを備える構成であっても構わないし、３つ以上のスピーカを備える構成であっても構わない。また、複数のスピーカが、異なる複数の音響信号を再生しても構わないし、１つの音響信号を再生しても構わない。また、スピーカＳ１，Ｓ２を備えない構成であっても構わない。例えば、スピーカＳ１，Ｓ２に代えて、音響信号を出力するための出力端子を備える構成であっても構わない。
【００７０】
また、ファイル確認部２１や再生用音響信号処理部２２が識別する音響信号を集音したマイクが、音響信号の途中で切り替わる場合、再生用音響信号処理部２２が、切り替わる前後で音響信号に対して異なる処理を行っても構わない。
【００７１】
また、再生用音響信号処理部２２による音響信号の処理方法の具体例について、以下説明する。なお、各具体例は、矛盾なき限り組み合わせて実施することが可能である。
【００７２】
［音響信号の処理方法：第１例］
まず、音響信号の処理方法の第１例について、図面を参照して説明する。図４は、音響信号の処理方法の第１例を行う再生用音響信号処理部の要部構成例を示すブロック図である。また本例は、識別したマイクに応じた信号処理を、音響信号に施すものである。なお、以下では説明の具体化のため、音響ファイルに１組のステレオの音響信号（左側音響信号及び右側音響信号）が含まれるものとし、左側音響信号がマイクＳＬによって集音されて得られ、右側音響信号がマイクＳＲによって集音されて得られたものとする。
【００７３】
図４に示すように、本例では、再生用音響信号処理部２２が、左側音響信号から所定の周波数以上の高域成分を除去するＬＰＦ（Low Pass Filter）２２１Ｌと、ＬＰＦ２２１Ｌから出力される左側音響信号を記録用音響信号処理部１１のサンプリング周波数（例えば、４８ｋＨｚ）以下の周波数（例えば、１２ｋＨｚ）で再サンプリングするダウンサンプリング部２２２Ｌと、ダウンサンプリング部２２２Ｌから出力される左側音響信号を高速フーリエ変換（Fast Fourier Transform）するＦＦＴ部２２３Ｌと、右側音響信号から所定の周波数以上の高域成分を除去するＬＰＦ２２１Ｒと、ＬＰＦ２２１Ｒから出力される右側音響信号を記録用音響信号処理部１１のサンプリング周波数以下の周波数で再サンプリングするダウンサンプリング部２２２Ｒと、ダウンサンプリング部２２２Ｒから出力される右側音響信号を高速フーリエ変換するＦＦＴ部２２３Ｒと、ＦＦＴ部２２３Ｌ，２２３Ｒから出力される周波数軸の左側音響信号及び右側音響信号の位相差を所定の周波数帯ごとに比較することで着目した周波数帯における音の主成分の到来方向を特定する比較部２２４と、比較部２２４の比較結果に基づいて取得しようとする方向以外から到来する音を主成分とする周波数帯を排除するためのマスクデータを作成するマスク作成部２２５と、マスク作成部２２５で作成された周波数軸のマスクデータを逆高速フーリエ変換（Inverse Fast Fourier Transform）するＩＦＦＴ部２２６と、ダウンサンプリング部２２２Ｌから出力される音響信号をフィルタリングすることで所定の成分を抽出（強調）した抽出音響信号を生成し出力するＦＩＲ（Finite Impulse Response）フィルタ２２７と、ＩＦＦＴ部２２６で作成される時間軸のマスクデータに従ってＦＩＲフィルタ２２７のタップ係数を制御することでＦＩＲフィルタ２２７が抽出（強調）する音の到来方向を制御する係数制御部２２８と、を備える。
【００７４】
上述のように、音響信号を集音したマイクＳＬ，ＳＲは、ファイル確認部２１または再生用音響信号処理部２２により識別される。そのため、比較部２２４は、この識別結果を取得することで、例えば音響信号を集音したマイクＳＬ，ＳＲの配置間隔の情報を得ることができる。そのため、集音時の音の到来方向を精度良く求めることが可能となる。
【００７５】
マスク作成部２２５は、処理対象である左側音響信号を、ユーザなどに指定される状態（以下、目標状態とする）とするべく、抽出（強調）する成分を決定する。具体的に例えば、目標状態が、記録再生装置１の正面方向から到来する音が強調された状態である場合、マスク作成部２２５は、記録再生装置１の正面方向から到来する音を抽出（強調）するマスクを作成する。
【００７６】
このように構成すると、所望の状態の音響信号を、信号処理によって得ることが可能となる。特に、所定の方向から到来する音を精度よく抽出（強調）した音響信号を得ることが可能となる。
【００７７】
なお、図４に示す構成において、所定の方向から到来する音を抽出（強調）するだけでなく、所定の方向から到来する音を抑制しても構わない。また、抽出音響信号は、そのまま１つの音響信号として扱っても構わないし、左側音響信号や右側音響信号などの他の音響信号に合成しても構わない。
【００７８】
また、図４に示す構成は、左側音響信号に対して抽出（強調）処理を施すものであるが、右側音響信号に対して抽出（強調）処理を施す構成（例えば、図中の左側音響信号と右側音響信号を入れ替えた構成）としても構わない。さらに、両者を組み合わせた構成を備え、左側音響信号及び右側音響信号の両方に対して抽出（強調）処理を施しても構わない。
【００７９】
また、マスク作成部２２５が、マイクの識別結果（例えば、音響信号を集音したマイクＳＬ，ＳＲの指向性）に基づいたマスクを作成しても構わない。
【００８０】
（別例）
また、音響信号の処理方法の第１例の別例について、図面を参照して説明する。図５は、音響信号の処理方法の第１例の別例を行う再生用音響信号処理部の要部構成例を示すブロック図である。また、上述の例と同様に、以下でも説明の具体化のため、音響ファイルに１組のステレオの音響信号（左側音響信号及び右側音響信号）が含まれるものとし、左側音響信号がマイクＳＬによって集音されて得られ、右側音響信号がマイクＳＲによって集音されて得られたものとする。
【００８１】
図５に示すように、本例では、再生用音響信号処理部２２が、右側音響信号を所定の時間だけ遅延させる遅延部２２８と、左側音響信号に遅延部２２８で遅延された右側音響信号を加算することで所定の成分を強調した強調音響信号を生成し出力する加算部２２９と、を備える。
【００８２】
上述のように、音響信号を集音したマイクＳＬ，ＳＲは、ファイル確認部２１または再生用音響信号処理部２２により識別される。そのため、遅延部２２８は、この識別結果を取得することで、例えば音響信号を集音したマイクＳＬ，ＳＲの配置間隔の情報を得ることができる。また、遅延部２２８は、処理対象である左側音響信号を目標状態とするべく、遅延する時間を設定する。
【００８３】
具体的に例えば、マイクＳＬ，ＳＲの間隔がＤであり、目標状態が、記録再生装置１の右側面方向から到来する音が強調された状態である場合、遅延部２２８は、Ｄ／Ｖの時間だけ右側音響信号を遅延させる（Ｖは音速）。すると、加算部２２９において、左側音響信号中における記録再生装置１の右側面方向から到来する音の成分が、遅延された右側音響信号と同期加算（時間のずれが略０で加算）されることで、強調される（例えば、振幅が略２倍になる）。一方、左側音響信号中における記録再生装置１の右側面方向以外から到来する音の成分は、遅延された右側音響信号と同期せず（時間のずれが０にならず）、加算しても強調されない（例えば、振幅が略２倍まで大きくなることがない）。
【００８４】
同様に例えば、目標状態が、記録再生装置１の正面方向から到来する音が強調される状態である場合、遅延部２２８は、遅延する時間を０にする（即ち、遅延しない）。すると、加算部２２９において、左側音響信号中における記録再生装置１の正面方向から到来する音の成分が、右側音響信号と同期加算されることで強調される。一方、左側音響信号中における記録再生装置１の正面方向以外から到来する音の成分は、右側音響信号と同期せず、加算しても強調されない。
【００８５】
このように構成すると、所望の状態の音響信号を、信号処理によって得ることが可能となる。特に、記録再生装置１の所定の方向から到来する音を精度よく強調した状態の音響信号を、得ることが可能となる。
【００８６】
なお、図５に示す構成において、加算部２２９で２つの音響信号を加算するだけでなく、減算しても構わない。また、強調音響信号は、そのまま１つの音響信号として扱っても構わないし、左側音響信号や右側音響信号などの他の音響信号に合成しても構わない。
【００８７】
また、図５に示す構成は、左側音響信号に対して強調処理を施すものであるが、右側音響信号に対して強調処理を施す構成（例えば、図中の左側音響信号と右側音響信号を入れ替えた構成）としても構わない。さらに、両者を組み合わせた構成を備え、左側音響信号及び右側音響信号の両方に対して強調処理を施しても構わない。
【００８８】
［音響信号の処理方法：第２例］
次に、音響信号の処理方法の第２例について、図面を参照して説明する。図６は、音響信号の処理方法の第２例について説明する記録再生装置の外観の一例を示す平面図であり、上述の図１に相当するものである。また、以下の図６を参照した説明では、上述の図１を参照した説明と同様の表現方法を用いるとともに、図６中で図１と同様となる部分には同様の符号を付し、その詳細な説明を省略する。また本例は、同時期に集音されて生成された複数の音響信号の少なくとも１つを、識別したマイクに応じて選択するものである。
【００８９】
図６に示すように、記録再生装置１ａは、正面方向かつ右側面方向から到来する音を強調して集音するマイクＦＲａと、正面方向かつ左側面方向から到来する音を強調して集音するマイクＦＬａと、マイクＳＬ，ＳＲと、を備える。
【００９０】
マイクＦＬａは、本体部Ｂの正面方向の端部かつマイクＦＲａの右側面方向に配置されるとともに、正面方向から左側面方向に傾いた方向を向く指向性のマイクである。マイクＦＲａは、本体部Ｂの正面方向の端部かつマイクＦＬａの左側面方向に配置されるとともに、正面方向から右側面方向に傾いた方向を向く指向性のマイクである。
【００９１】
また、音響ファイルに含まれている音響信号が、マイクＦＬａ，ＦＲａで集音されたそれぞれの音響信号であると、ファイル確認部２１または再生用音響信号処理部２２が識別する場合を例に挙げて、本例の具体的な処理方法について説明する。
【００９２】
このとき、目標状態が、記録再生装置１ａの右側面方向から到来する音が強調される状態である場合、再生用音響信号処理部２２は、マイクＦＲａで集音された音響信号を選択的に出力する。一方、目標状態が、記録再生装置１ａの左側面方向から到来する音が強調される状態である場合、再生用音響信号処理部２２は、マイクＦＬａで集音された音響信号を選択的に出力する。
【００９３】
またこのとき、目標状態が、記録再生装置１ａの正面方向から到来する音が強調される状態である場合、再生用音響信号処理部２２は、マイクＦＬａ，ＦＲａで集音された音響信号に対して上述した音響信号の処理方法の第１例を適用する。なお、目標状態が、記録再生装置１ａの正面側から広く到来する音が強調される状態である場合、再生用音響信号処理部２２は、マイクＦＬａ，ＦＲａで集音された音響信号をそのまま出力しても構わないし、これらの音響信号を１つの音響信号に合成（ダウンミックス、例えば加算）して出力しても構わない。
【００９４】
ところで、音響ファイルに含まれている音響信号が、マイクＳＬ，ＳＲで集音されたそれぞれの音響信号であると、ファイル確認部２１または再生用音響信号処理部２２が識別する場合、再生用音響信号処理部２２は、上述した音響信号の処理方法の第１例を適用する。
【００９５】
このように構成すると、所望の状態の音響信号を、音響信号を選択することによって得ることが可能となる。特に、記録再生装置１ａの所定の方向から到来する音を精度よく強調した状態の音響信号を、得ることが可能となる。
【００９６】
なお、本例の構成において、操作部Ｐを介して集音時にユーザが指定したマイク（例えば、マイクＦＬａ，ＦＲａ）以外のマイク（例えば、マイクＳＬ，ＳＲ）でも集音することで、複数の音響信号を生成して記録しても構わない。またこのとき、複数の音響ファイルを作成して記録しても構わない。ただし、複数の音響ファイルを作成する場合、ファイル構成部１２が、これらの音響ファイルが共通の時間情報（例えば、タイムスタンプ）を有するように構成すると、再生用音響信号処理部２２が、これらの音響ファイルに含まれる音響信号を容易に同期させて処理する（例えば、選択する音響信号の切り替えをスムーズに行う）ことができるため、好ましい。
【００９７】
また、例えばこのとき、目標状態が、記録再生装置１ａの右側面方向から到来する音が強調される状態である場合、再生用音響信号処理部２２は、マイクＦＲａで集音された音響信号を選択的に出力する。一方、目標状態が、記録再生装置１ａの左側面方向から到来する音が強調される状態である場合、再生用音響信号処理部２２は、マイクＦＬａで集音された音響信号を選択的に出力する。
【００９８】
これに対して、目標状態が、記録再生装置１ａの正面方向から到来する音が強調される状態である場合、再生用音響信号処理部２２は、マイクＳＬ，ＳＲで集音された音響信号に対して、上述した音響信号の処理方法の第１例を適用する。
【００９９】
このように構成すると、再生用音響信号処理部２２が処理（信号処理や選択）可能な音響信号を増加させることができる。そのため、さらに精度よく所望の状態とした音響信号を得ることが可能となる。
【０１００】
また、マイクＦＬａ，ＦＲａが、可動であっても構わない。この場合、集音時のマイクＦＬａ，ＦＲａの状態（向きや間隔など）が事後的に識別され得るように、記録用音響信号処理部１１またはファイル構成部１２が、集音時のマイクＦＬａ，ＦＲａの状態に応じて音響ファイルを作成しても構わない。
【０１０１】
（別例）
また、音響信号の処理方法の第２例の別例について、図面を参照して説明する。図７は、音響信号の処理方法の第２例の別例について説明する記録再生装置の外観の一例を示す平面図であり、上述の図１及び図６に相当するものである。また、以下の図７を参照した説明では、上述の図１を参照した説明と同様の表現方法を用いるとともに、図７中で図１と同様となる部分には同様の符号を付し、その詳細な説明を省略する。
【０１０２】
マイクＦＬｂは、マイクＳＬｂの正面方向かつマイクＦＲｂの左側面方向に配置されるとともに、正面方向と左側面方向の間の方向を向く指向性のマイクである。マイクＦＲｂは、マイクＳＲｂの正面方向かつマイクＦＬｂの右側面方向に配置されるとともに、正面方向と右側面方向の間の方向を向く指向性のマイクである。マイクＳＬｂは、マイクＦＬｂの背面方向かつマイクＳＲｂの左側面方向に配置されるとともに、背面方向と左側面方向の間の方向を向く指向性のマイクである。マイクＳＲｂは、マイクＦＲｂの背面方向かつマイクＳＬｂの右側面方向に配置されるとともに、背面方向と右側面方向の間の方向を向く指向性のマイクである。
【０１０３】
本例の構成では、指向性のマイクＦＬｂ，ＦＲｂ，ＳＬｂ，ＳＲｂの全てにおいて集音を行うことで複数の音響信号を生成し、記録する。なお、このとき複数の音響ファイルを作成して記録しても構わない。ただし、複数の音響ファイルを作成する場合、ファイル構成部１２が、これらの音響ファイルが共通の時間情報（例えば、タイムスタンプ）を有するように構成すると、再生用音響信号処理部２２が、これらの音響ファイルに含まれる音響信号を容易に同期させて処理する（例えば、選択する音響信号の切り替えをスムーズに行う）ことができるため、好ましい。
【０１０４】
さらに、再生用音響信号処理部２２は、目標状態に対応した音響信号を選択的に出力する。具体的に例えば、目標状態が、記録再生装置１ｂの正面方向かつ左側面方向から到来する音が強調される状態である場合、再生用音響信号処理部２２は、マイクＦＬｂで集音された音響信号を選択的に出力する。また、目標状態が、記録再生装置１ｂの正面方向かつ右側面方向から到来する音が強調される状態である場合、再生用音響信号処理部２２は、マイクＦＲｂで集音された音響信号を選択的に出力する。また、目標状態が、記録再生装置１ｂの背面方向かつ左側面方向から到来する音が強調される状態である場合、再生用音響信号処理部２２は、マイクＳＬｂで集音された音響信号を選択的に出力する。また、目標状態が、記録再生装置１ｂの背面方向かつ右側面方向から到来する音が強調される状態である場合、再生用音響信号処理部２２は、マイクＳＲｂで集音された音響信号を選択的に出力する。
【０１０５】
また、目標状態が、記録再生装置１ｂの正面方向から到来する音が強調される状態である場合、再生用音響信号処理部２２は、マイクＦＬｂ，ＦＲｂで集音された音響信号に対して、上述した音響信号の処理方法の第１例を適用する。なお、目標状態が、記録再生装置１ｂの正面側から広く到来する音が強調される状態である場合、再生用音響信号処理部２２は、マイクＦＬｂ，ＦＲｂで集音された音響信号をそのまま出力しても構わないし、これらの音響信号を１つの音響信号に合成（ダウンミックス、例えば加算）して出力しても構わない。
【０１０６】
また、目標状態が、記録再生装置１ｂの背面方向から到来する音が強調される状態である場合、再生用音響信号処理部２２は、マイクＳＬｂ，ＳＲｂで集音された音響信号に対して、上述した音響信号の処理方法の第１例を適用する。なお、目標状態が、記録再生装置１ｂの背面側から広く到来する音が強調される状態である場合、再生用音響信号処理部２２は、マイクＳＬｂ，ＳＲｂで集音された音響信号をそのまま出力しても構わないし、これらの音響信号を１つの音響信号に合成（ダウンミックス、例えば加算）して出力しても構わない。
【０１０７】
このように構成すると、所望の状態の音響信号を、音響信号を選択することによって得ることが可能となる。特に、記録再生装置１ｂの所定の方向から到来する音を精度よく強調した状態の音響信号を、得ることが可能となる。
【０１０８】
なお、目標状態が、記録再生装置１ｂの右側面方向から到来する音が強調される状態である場合、再生用音響信号処理部２２が、マイクＦＲｂ，ＳＲｂで集音された音響信号の少なくとも一方を選択的に出力したり、合成（例えば、加算）して出力したりしても構わない。また、目標状態が、記録再生装置１ｂの左側面方向から到来する音が強調される状態である場合、再生用音響信号処理部２２が、マイクＦＬｂ，ＳＬｂで集音された音響信号の少なくとも一方を選択的に出力したり、合成（例えば、加算）して出力したりしても構わない。
【０１０９】
また、目標状態が、記録再生装置１ｂの周囲から到来する音が等しく集音される状態である場合、再生用音響信号処理部２２が、マイクＦＲｂ，ＦＬｂ，ＳＲｂ，ＳＬｂで集音された音響信号をそのまま出力したり、合成（例えば、加算）して出力したりしても構わない。
【０１１０】
また、集音時に操作部Ｐを介してユーザが集音するマイクを指定する場合など、マイクＦＬｂ，ＦＲｂ，ＳＬｂ，ＳＲｂの一部で集音が行われないこととしても構わない。
【０１１１】
＜変形例＞
説明の具体化のため、記録再生装置１，１ａ，１ｂを本発明の実施の一形態として説明したが、本発明は他の装置にも適用可能である。例えば、図２に示す記録処理部１０を備える集音装置や、図３に示す再生処理部２０を備える出力装置にも、適用可能である。また例えば、図３に示す再生処理部２０において、再生用音響信号処理部２２で処理された音響信号を記録部１３に記録するための編集処理（例えば、音響信号の圧縮や、音響ファイルの構成）を行う編集部を、スピーカＳ１，Ｓ２に代えて備える編集装置にも、適用可能である。さらに、音響信号とともに画像（動画及び静止画を含み得る）信号を作成する撮像装置にも、適用可能である。
【０１１２】
また、本発明の実施の一形態である記録再生装置１，１ａ，１ｂについて、記録処理部１０及び再生処理部２０の動作をマイコンなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【０１１３】
また、上述した場合に限らず、図１、図６及び図７に示す記録再生装置１，１ａ，１ｂ、図２に示す記録処理部１０及び図３に示す再生処理部２０は、ハードウェア、あるいは、ハードウェアとソフトウェアの組み合わせによって実現可能である。また、ソフトウェアを用いて記録再生装置１，１ａ，１ｂ、記録処理部１０及び再生処理部２０の一部を構成する場合、ソフトウェアによって実現される部位についてのブロックは、その部位の機能ブロックを表すこととする。
【０１１４】
以上、本発明における実施形態について説明したが、本発明の範囲はこれに限定されるものではなく、発明の主旨を逸脱しない範囲で種々の変更を加えて実行することができる。
【産業上の利用可能性】
【０１１５】
本発明は、音響信号を出力する出力装置や、集音により生成した音響ファイルを作成する集音装置に利用可能である。
【符号の説明】
【０１１６】
１，１ａ，１ｂ      記録再生装置
１０    記録処理部
１１    記録用音響信号処理部
１２    ファイル構成部
１３    記録部
２０    再生処理部
２１    ファイル確認部
２２    再生用音響信号処理部
ＦＬ，ＦＲ，ＳＬ，ＳＲ  マイク（マイクロフォン）
Ｓ１，Ｓ２  スピーカ
Ｂ      本体部
Ｄ      表示部
Ｐ      操作部
【図１】
2011250283.tif 000003
【図２】
2011250283.tif 000004
【図３】
2011250283.tif 000005
【図４】
2011250283.tif 000006
【図５】
2011250283.tif 000007
【図６】
2011250283.tif 000008
【図７】
2011250283.tif 000009